(57)【要約】【課題】  固体撮像素子のオプティカルブラックの値がずれが生じた場合にも、輝度レベルの違いによって着色等の問題が発生しないデジタルカメラを提供する。【解決手段】  デジタルカメラは、入射光を光電変換して映像信号に変換するＣＭＯＳ１と、ＣＭＯＳ１にて得られた映像信号のＲ，Ｇ，Ｂ成分のそれぞれに所定のゲイン値を乗じることによって、ホワイトバランスを調整するホワイトバランス調整部５と、ホワイトバランス調整部５から出力された映像信号に基づいて輝度信号を生成する輝度信号処理部６と、輝度信号処理部６からの出力値に基づいて、ゲイン値を決定する制御部８とを備えた構成を有する。【選択図】図１
2007208884.tif 000002
【特許請求の範囲】
【請求項１】
光電変換によって入射光を映像信号に変換する撮像素子と、
前記撮像素子にて得られた映像信号のＲ，Ｇ，Ｂ成分のそれぞれに所定のゲイン値を乗じることによって、ホワイトバランスを調整するホワイトバランス調整部と、
前記ホワイトバランス調整部から出力された映像信号に基づいて輝度信号を生成する輝度信号処理部と、
前記輝度信号処理部からの出力値に基づいて、前記ゲイン値を決定する制御部と、
を備えたことを特徴とするデジタルカメラ。
【請求項２】
前記輝度信号処理部の出力値と前記ホワイトバランス調整部のゲイン値とを対応付けるテーブルを格納したメモリを備え、
前記制御部は、前記輝度信号処理部から出力された出力値に対応する前記ゲイン値を前記テーブルから読み出し、読み出されたゲイン値を前記ホワイトバランス調整部のゲイン値として決定することを特徴とする請求項１に記載のデジタルカメラ。
【請求項３】
光電変換によって入射光を映像信号に変換する撮像素子と、
前記撮像素子にて得られた映像信号のホワイトバランスを調整するホワイトバランス調整部と、
前記ホワイトバランス調整部から出力された映像信号に基づいて輝度信号を生成する輝度信号処理部と、
前記ホワイトバランス調整部から出力された映像信号を色差信号に変換し、オフセット値を加算する色差信号処理部と、
前記輝度信号処理部の出力値に基づいて、前記オフセット値を決定する制御部と、
を備えたことを特徴とするデジタルカメラ。
【請求項４】
前記輝度信号処理部の出力値と前記色差信号処理部のオフセット値とを対応付けるテーブルを格納したメモリを備え、
前記制御部は、前記輝度信号処理部から出力された出力値に対応する前記オフセット値を前記テーブルから読み出し、読み出されたオフセット値を前記色差信号処理部のオフセット値として決定することを特徴とする請求項３に記載のデジタルカメラ。
【発明の詳細な説明】
【技術分野】
【０００１】
本発明は、デジタルカメラにおける映像信号処理に関する。
【背景技術】
【０００２】
従来から、デジタルカメラにおいて撮像した映像のホワイトバランスを調整する技術が知られている。図８は、従来のデジタルカメラの構成を示す図である。図８に示すデジタルカメラは、ＣＭＯＳ（撮像素子）１と、ＣＤＳ部２と、ＡＧＣ部３と、ＡＤ変換部４と、ホワイトバランス調整部５と、Ｙ信号（輝度信号）処理部６と、Ｃ信号（色差信号）処理部７と、制御部８と、メモリ９とを備えている。ＣＭＯＳ１のカラーフィルタ配列は、例えば、図９に示す原色ベイヤー配列である。
【０００３】
ＣＭＯＳ１によって光電変換された信号は、ＣＤＳ部２、ＡＧＣ部３、ＡＤ変換部４、ホワイトバランス調整部５を介して、Ｙ信号処理部６、Ｃ信号処理部７および制御部８に入力される。
【０００４】
図１０は、ホワイトバランス調整部５の構成を示す図である。図１０を用いて、ホワイトバランス調整部５の動作について説明する。ホワイトバランス調整部５は、ＣＭＯＳ１より入力されたＲＧＢシリアル信号をシリアル−パラレル（ＳＰ）変換部５０１によってパラレル信号に変換する。続いて、パラレル変換されたＲＧＢ信号を各ゲイン調整部５０２，５０３，５０４のそれぞれに入力する。各ゲイン調整部５０２，５０３，５０４は、制御部８からの制御信号を用いて、ＲＧＢ信号に対して次式（１）で示される乗算処理を行う。
Ｒ'＝ＫR×Ｒ
Ｇ'＝ＫG×Ｇ
Ｂ'＝ＫB×Ｂ          （１）
ここで、ゲイン値ＫR、ＫG、ＫBは、無彩色の信号に対して、Ｒ'＝Ｇ'＝Ｂ'となるように制御部８によって定められる。
【０００５】
ところで、固体撮像素子の特性として、製造上の問題によりオプティカルブラック（ＯＢ）の値がずれることがある。ＯＢのずれが生じた場合、輝度レベルの違いによって着色等の問題が発生する。その具体例を以下に示す。
【０００６】
ある光源で、白を写したときにセンサー出力が、１００％の白部でＲ＝８０、Ｇ＝１００、Ｂ＝７０であり、１０％の白部でＲ＝１６、Ｇ＝２０、Ｂ＝１４であるとする。制御部８は、無彩色の信号に対してＲ'＝Ｇ'＝Ｂ'となるようにゲイン値を決定するので、１００％の白部を基準とすれば、ＫG＝１のときＫR＝１００／８０、ＫB＝１００／７０となる。このゲイン値ＫR、ＫG、ＫBを１００％の白部に適用するとＲ'＝１００、Ｇ'＝１００、Ｂ'＝１００となり（図１１（ａ）参照）、１０％の白部に適用すると、Ｒ'＝２０、Ｇ'＝２０、Ｂ'＝２０となる（図１１（ｂ）参照）。
【０００７】
ところが、ＯＢのずれが生じると、上記のホワイトバランス調整はうまく機能しなくなる。例えば、上記例において、ＯＢのずれ量を−１０とすると、センサー出力が１００％の白部でＲ＝７０、Ｇ＝９０、Ｂ＝６０、１０％の白部でＲ＝６、Ｇ＝１０、Ｂ＝４となる。輝度レベルの高い方（１００％の白部）を基準に、ホワイトバランスのゲイン値ＫR、ＫG、ＫBを決めると、ＫG＝１のときＫR＝９０／７０、ＫB＝９０／６０となる。このゲイン値ＫR、ＫG、ＫBを用いると、１００％の白部でＲ'＝９０、Ｇ'＝９０、Ｂ'＝９０となるが（図１２（ａ）参照）、１０％の白部では、Ｒ'＝７、Ｇ'＝１０、Ｂ'＝６となる（図１２（ｂ）参照）。この結果、１０％の白部では、低輝度部で緑掛かった画像となる。
【０００８】
この種のデジタルカメラにおけるＯＢ補正の例としては、特許文献１に記載された技術が知られていた。特許文献１に記載された撮像装置は、撮像素子内に複数のＯＢ領域を用意し、撮像条件および被写体に応じてＯＢ領域を切り替える構成を採用している。
【特許文献１】特開２００５−１７６１１５号公報
【発明の開示】
【発明が解決しようとする課題】
【０００９】
しかしながら、特許文献１に記載されたＯＢ補正の方法は、撮像素子内に複数のＯＢ領域を設け、撮像条件および被写体に応じてＯＢ領域を切り替える構成となっていることから、回路構成が複雑である。また、ＯＢ領域を切り替えるための制御が煩雑であるといった問題があった。
【００１０】
そこで、本発明は、上記背景に鑑み、回路構成および制御を複雑にすることなく、ＯＢ値のずれにかかわらず、良質な映像信号を有するデジタルカメラを提供することができることを目的とする。
【課題を解決するための手段】
【００１１】
本発明のデジタルカメラは、光電変換によって入射光を映像信号に変換する撮像素子と、前記撮像素子にて得られた映像信号のＲ，Ｇ，Ｂ成分のそれぞれに所定のゲイン値を乗じることによって、ホワイトバランスを調整するホワイトバランス調整部と、前記ホワイトバランス調整部から出力された映像信号に基づいて輝度信号を生成する輝度信号処理部と、前記輝度信号処理部からの出力値に基づいて、前記ゲイン値を決定する制御部とを備えた構成を有する。
【００１２】
この構成により、輝度信号処理部からの出力値に基づいて決定されたゲイン値を用いてホワイトバランス調整を行うので、映像の明暗に関わらず、適切なホワイトバランス調整を行うことができる。
【００１３】
本発明のデジタルカメラは、前記輝度信号処理部の出力値と前記ホワイトバランス調整部のゲイン値とを対応付けるテーブルを格納したメモリを備え、前記制御部は、前記輝度信号処理部から出力された出力値に対応する前記ゲイン値を前記テーブルから読み出し、読み出されたゲイン値を前記ホワイトバランス調整部のゲイン値として決定する構成を有する。
【００１４】
オプティカルブラックのずれ量は製造時に決まる値で、使用時の状況によっては変動しないので、テーブルにそれぞれの輝度出力値とホワイトバランス調整のゲイン値とを対応付けて格納しておくことにより、簡単な構成で、速やかにホワイトバランス調整を行うことが可能となる。
【００１５】
本発明のデジタルカメラは、光電変換によって入射光を映像信号に変換する撮像素子と、前記撮像素子にて得られた映像信号のホワイトバランスを調整するホワイトバランス調整部と、前記ホワイトバランス調整部から出力された映像信号に基づいて輝度信号を生成する輝度信号処理部と、前記ホワイトバランス調整部から出力された映像信号を色差信号に変換し、オフセット値を加算する色差信号処理部と、前記輝度信号処理部の出力値に基づいて、前記オフセット値を決定する制御部とを備えた構成を有する。
【００１６】
この構成により、輝度信号処理部からの出力値に基づいて決定されたオフセット値を用いて色差信号処理を行うので、映像の明暗に関わらず、適切な色差信号処理を行うことができる。なお、本発明において、ホワイトバランス調整部に、上記したホワイトバランス調整部の特徴を備えることとしてもよい。すなわち、光電変換によって入射光を映像信号に変換する撮像素子と、前記撮像素子にて得られた映像信号のＲ，Ｇ，Ｂ成分のそれぞれに所定のゲイン値を乗じることによって、ホワイトバランスを調整するホワイトバランス調整部と、前記ホワイトバランス調整部から出力された映像信号に基づいて輝度信号を生成する輝度信号処理部と、前記ホワイトバランス調整部から出力された映像信号を色差信号に変換し、オフセット値を加算する色差信号処理部と、前記輝度信号処理部の出力値に基づいて、前記ゲイン値および前記オフセット値を決定する制御部とを備えた構成とすることもできる。
【００１７】
本発明のデジタルカメラは、前記輝度信号処理部の出力値と前記色差信号処理部のオフセット値とを対応付けるテーブルを格納したメモリを備え、前記制御部は、前記輝度信号処理部から出力された出力値に対応する前記オフセット値を前記テーブルから読み出し、読み出されたオフセット値を前記色差信号処理部のオフセット値として決定する構成を有する。
【００１８】
オプティカルブラックのずれ量は製造時に決まる値で、使用時の状況によっては変動しないので、テーブルにそれぞれの輝度出力値と色差信号処理部のオフセット値とを対応付けて格納しておくことにより、簡単な構成で、速やかに色差信号処理を行うことが可能となる。
【発明の効果】
【００１９】
本発明によれば、輝度信号処理部からの出力値に基づいて決定されたゲイン値を用いてホワイトバランス調整を行うので、映像の明暗に関わらず、適切なホワイトバランス調整を行うことができるというすぐれた効果を有する。
【発明を実施するための最良の形態】
【００２０】
以下、本発明の実施の形態について、図面を参照しながら説明する。図１は、本発明の実施の形態におけるデジタルカメラの構成を示す図である。図１に示すように、本実施の形態のデジタルカメラは、被写体からの光を光電変換して映像信号を得るＣＭＯＳ（撮像素子）１と、ＣＭＯＳ１からの出力信号を相関二重サンプリングしてノイズを除去するＣＤＳ部２と、被写体の明るさに応じてＣＤＳ１０３からの出力を一定に利得制御するＡＧＣ部３と、アナログ信号をデジタル信号に変換するＡＤ変換部４とを備えている。
【００２１】
また、デジタルカメラは、ＡＤ変換部４にて出力されたデジタル信号のホワイトバランスを調整するホワイトバランス調整部５と、ホワイトバランス調整部５から出力された映像信号（ＲＧＢ信号）に基づいてＹ信号（輝度信号）を生成するＹ信号処理部６と、ホワイトバランス調整部５から出力された映像信号に基づいてＣ信号（色差信号）を生成するＣ信号（色差信号）処理部７と、Ｙ信号処理部６の出力値に基づいて、ホワイトバランス調整部５およびＣ信号処理部７の処理を制御する制御部８とを備えている。
【００２２】
制御部８には、メモリ９が接続されている。メモリ９には、ホワイトバランス調整部５で用いるゲイン値とＹ信号出力部６の出力値とを対応付けたルックアップテーブル（以下、「ＬＵＴ」という）８０１と、Ｃ信号処理部７で用いるオフセット値とＹ信号出力部６の出力値とを対応付けたＬＵＴ８０２が記憶されている。
【００２３】
図２は、ＬＵＴ８０１に記憶されたデータの例を示す図である。図２に示すように、ＬＵＴ８０１には、「輝度レベルＹ」に対応付けられて「ホワイトバランスゲインＫR」「ホワイトバランスゲインＫG」「ホワイトバランスゲインＫB」の各データが記憶されている。ここで、ホワイトバランスゲインＫR、ＫG、ＫB（請求項の「ゲイン値」に対応する）は、映像信号のＲ，Ｇ，Ｂのそれぞれの成分に乗じる係数である。「ホワイトバランスゲインＫR」および「ホワイトバランスゲインＫB」は、「ホワイトバランスゲインＫG」を１としたときのゲイン値であり、これらの値は、後述する方法によって、それぞれのデジタルカメラについて求められる。このＬＵＴ８０１により、「輝度レベルＹ」が１０のときには、ＫR＝１．２８６、ＫG＝１、ＫB＝１．５００を用いればよいことが読み取れる。
【００２４】
図３は、Ｙ信号処理部６の構成を示す図である。Ｙ信号処理部６のＲＧＢ−Ｙ変換部６０１は、ホワイトバランス調整部５より出力されたＲ'、Ｇ'、Ｂ'信号に対し、次式（２）に示す演算処理を行い、Ｙ１信号を求める。
Ｙ１＝ａ11Ｒ＋ａ12Ｇ＋ａ13Ｂ          （２）
【００２５】
次に、Ｙ信号処理部６のゲイン調整部６０２は、次式（３）に示す演算処理を行い、Ｙ２信号を求める。
Ｙ２＝Ｋｙ×Ｙ１          （３）
【００２６】
続いて、Ｙ信号処理部６のオフセット調整部６０３は、Ｙ２信号に対し、オフセット値Ｙoffを加算する次式（４）に示す演算処理を行い、Ｙ信号を求める。
Ｙ＝Ｙ２＋Ｙoff          （４）
【００２７】
なお、上記した式（２）〜式（４）に用いられる係数ａ11、ａ12、ａ13、Ｋｙ、Ｙoffは、メモリ９に格納されている。制御部８が、メモリ９から各係数を読み出してＹ信号処理部６に送信する。Ｙ信号処理部６は、制御部８から送信された制御信号を用いて上記各演算を行う。
【００２８】
図４は、Ｃ信号処理部７の構成を示す図である。Ｃ信号処理部７のＲＧＢ−ＵＶ変換部７０１は、ホワイトバランス調整部５より出力されたＲ'、Ｇ'、Ｂ'信号に対し、次式（５）に示す演算処理を行い、Ｕ１信号、Ｖ１信号を求める。
Ｕ１＝ａ21Ｒ＋ａ22Ｇ＋ａ23Ｂ
Ｖ１＝ａ31Ｒ＋ａ32Ｇ＋ａ33Ｂ          （５）
【００２９】
次に、Ｃ信号処理部７のゲイン調整部７０２は、Ｕ１、Ｖ１信号に対し、ＵゲインＫｕ、ＶゲインＫｖを乗じる次式（６）に示す演算処理を行い、Ｕ２信号、Ｖ２信号を求める。
Ｕ２＝Ｋｕ×Ｕ１
Ｖ２＝Ｋｖ×Ｖ１          （６）
【００３０】
続いて、Ｃ信号処理部７のオフセット調整部７０３は、Ｕ２、Ｖ２信号に対し、Ｕオフセット値Ｕoff、Ｖオフセット値Ｖoffを加算する次式（７）に示す演算処理を行い、Ｕ信号、Ｖ信号を求め、出力する。
Ｕ＝Ｕ２＋Ｕoff
Ｖ＝Ｖ２＋Ｖoff          （７）
【００３１】
上記の式（５）〜式（７）に用いられる係数ａ21、ａ22、ａ23、ａ31、ａ32、ａ33、Ｋｕ、Ｋｖ、Ｕoff、Ｖoffはメモリ９に格納されている。制御部８が、メモリ９から各係数を読み出してＣ信号処理部７に送信する。Ｃ信号処理部７は、制御部８から送信された制御信号を用いて上記各演算を行う。
【００３２】
図５は、式（７）で用いられるＬＵＴ８０２に記憶されたデータの例を示す図である。ＬＵＴ８０２には、「輝度レベルＹ」に対応付けられて「ＵオフセットＵoff」「ＶオフセットＶoff」が格納されている。このＬＵＴ８０２により、「輝度レベルＹ」が１０のときには、Ｕoff＝０．０、Ｖoff＝０・０を用いればよいことが読み取れる。なお、「ＵオフセットＵoff」「ＶオフセットＶoff」の値は、後述する方法によって、それぞれのデジタルカメラについて求められる。
【００３３】
次に、ＬＵＴ８０１，８０２の具体的な作成方法について説明する。
図６は、ＬＵＴ８０１の作成方法を示す図である。デジタルカメラのオプティカルブラックのずれは、製造時に生じ、その後の使用状況によっては変化しないので、図６に示すフローによってＬＵＴ８０１に記憶するデータを決定する処理は、最初に行えばよい。
【００３４】
図６に示すように、まず、輝度レベルを初期設定する（Ｓ１０１）。この例では、初期設定値は、輝度レベルを１００％としている。次に、設定された輝度レベルにおいて、ホワイトバランス調整部５のゲインＫR、ＫBを測定し（Ｓ１０２）、その値をレジスタに書き込む（Ｓ１０３）。図２に示されるように、Ｒ，Ｇ，Ｂのそれぞれに対するゲイン値ＫR、ＫG、ＫBは、ＫGを１とした値なので、ゲイン値ＫR、ＫBをレジスタに書き込んでいる。
【００３５】
次に、輝度レベルを１０％低くして（Ｓ１０４）、低くした輝度レベルが０％より大きいかどうかを判定する（Ｓ１０５）。輝度レベルが０％よりも大きい場合は（Ｓ１０５でＹＥＳ）、ステップＳ１０２からステップＳ１０４の処理を繰り返す。輝度レベルが０％以下となった場合には（Ｓ１０５でＮＯ）、ＬＵＴ８０１の作成を終了する。
【００３６】
図７は、ＬＵＴ８０２の作成方法を示す図である。ＵＶ信号についてその取り得る値を０−２５５で定義し、無彩色の信号を（Ｕ，Ｖ）＝（１２８，１２８）とする。図７に示すように、まず、輝度レベルを初期設定する（Ｓ２０１）。この例では、初期設定値は、輝度レベルを１００％としている。次に、設定された輝度レベルにおいて、Ｃ信号処理部７のＵ出力、Ｖ出力を測定し（Ｓ２０２）、ＵＶ信号のそれぞれの測定値から１２８を減算して（Ｓ２０３）、減算結果をレジスタに書き込む（Ｓ２０４）。次に、輝度レベルを１０％低くして（Ｓ２０５）、低くした輝度レベルが０％より大きいかどうかを判定し（Ｓ２０６）、輝度レベルが０％よりも大きい場合は（Ｓ２０６でＹＥＳ）、ステップＳ２０２からステップＳ２０５の処理を繰り返す。輝度レベルが０％以下となった場合には（Ｓ２０６でＮＯ）、ＬＵＴ８０２の作成を終了する。
【００３７】
次に、本実施の形態のデジタルカメラによってホワイトバランス調整部５のゲインを調整する動作について説明する。ＣＭＯＳ１によって光電変換された信号は、ＣＤＳ部２、ＡＧＣ部３を介してＡＤ変換部４に入力され、ＡＤ変換部４にてデジタルの映像信号に変換される。ＡＤ変換部４から出力された映像信号は、ホワイトバランス調整部５に入力される。初期状態では、まだＹ信号処理部６の出力値が得られていないので、ホワイトバランス調整部５は、デフォルトのゲイン値を用いて、ホワイトバランスの調整を行う。ホワイトバランス調整部５は、ホワイトバランスを調整した映像信号をＹ信号処理部６に入力する。Ｙ信号処理部６は、入力された映像信号に基づいてＹ信号を生成し、出力する。このとき、Ｙ信号は制御部８に対しても出力される。
【００３８】
制御部８は、Ｙ信号処理部６から出力された出力値を受信すると、出力値に対応するゲイン値ＫR、ＫG、ＫBをＬＵＴ８０１から読み出す。そして、制御部８は、読み出したゲイン値をホワイトバランス調整部５に送信する。ホワイトバランス調整部５は、制御部８から送信されたゲイン値ＫR、ＫG、ＫBを用いて、ホワイトバランスの調整を行う。
【００３９】
次に、本実施の形態のデジタルカメラによって、Ｃ信号処理部７のオフセット値を調整する動作について説明する。制御部８は、Ｙ信号処理部６から送信されたＹ信号の出力値を受信すると、出力値に対応するオフセット値Ｕoff、ＶoffをＬＵＴ８０２から読み出す。そして、制御部８は、読み出したオフセット値Ｕoff、ＶoffをＣ信号処理部７に送信する。Ｃ信号処理部７は、制御部８から送信されたオフセット値Ｕoff、Ｖoffを、Ｃ信号を生成する処理を行う。
【００４０】
以上、本実施の形態のデジタルカメラの構成および映像信号処理について説明した。本実施の形態のデジタルカメラは、ホワイトバランス調整部５で用いるゲイン値ＫR、ＫG、ＫBとＹ信号のレベルとを対応付けたＬＵＴ８０１がメモリ９に格納されている。そして、制御部８は、Ｙ信号処理部６の出力値に応じたゲイン値ＫR、ＫG、ＫBを読み出し、そのゲイン値ＫR、ＫG、ＫBを用いてホワイトバランスの調整を行うので、撮像された映像の明暗に関わらず、適切なホワイトバランス調整を行うことができる。
【００４１】
また、Ｃ信号処理部７で用いるオフセット値Ｕoff、ＶoffとＹ信号のレベルとを対応付けたＬＵＴ８０２がメモリ９に格納されている。そして、制御部８は、Ｙ信号処理部６の出力値に応じたオフセット値Ｕoff、Ｖoffを読み出し、そのオフセット値Ｕoff、Ｖoffを用いてＣ信号処理を行うので、撮像された映像の明暗に関わらず、適切にＣ信号を生成できる。
【００４２】
以上、本発明のデジタルカメラについて、実施の形態を挙げて詳細に説明したが、本発明は上記した実施の形態に限定されるものではなく、本発明の要旨を逸脱しない範囲で種々変形して実施できる。
【産業上の利用可能性】
【００４３】
以上説明したように、本発明は、映像の明暗に関わらず、適切なホワイトバランス調整を行うことができるというすぐれた効果を有し、デジタルカメラ等に有用である。
【図面の簡単な説明】
【００４４】
【図１】本発明の実施の形態におけるデジタルカメラの構成を示す図である。
【図２】ルックアップテーブル８０１の構成の一例を示す図である。
【図３】Ｙ信号処理部の一例を示す図である。
【図４】Ｃ信号処理部の一例を示す図である。
【図５】ルックアップテーブル８０２の構成の一例を示す図である。
【図６】ルックアップテーブル８０１の作成方法の一例を示すフロー図である。
【図７】ルックアップテーブル８０２の作成方法の一例を示すフロー図である。
【図８】従来のデジタルカメラを示す図である。
【図９】撮像素子におけるカラーフィルタの配列の一例を示す図である。
【図１０】ホワイトバランス調整部の構成の一例を示す図である。
【図１１】ＯＢずれの無いホワイトバランスの動作の一例を示す図である。
【図１２】ＯＢずれがあるホワイトバランスの動作の一例を示す図である。
【符号の説明】
【００４５】
１  撮像素子
２  ＣＤＳ部
３  ＡＧＣ部
４  ＡＤ変換部
５  ホワイトバランス調整部
５０１  ＳＰ変換部
５０２、５０３、５０４  ゲイン調整部
６  Ｙ信号処理部
６０１  ＲＧＢ−Ｙ変換部
６０２  ゲイン調整部
６０３  オフセット調整部
７  Ｃ信号処理部
７０１  ＲＧＢ−ＵＶ変換部
７０２  ゲイン調整部
７０３  オフセット調整部
８  制御部
８０１、８０２  ルックアップテーブル
９  メモリ
【図１】
2007208884.tif 000003
【図２】
2007208884.tif 000004
【図３】
2007208884.tif 000005
【図４】
2007208884.tif 000006
【図５】
2007208884.tif 000007
【図６】
2007208884.tif 000008
【図７】
2007208884.tif 000009
【図８】
2007208884.tif 000010
【図９】
2007208884.tif 000011
【図１０】
2007208884.tif 000012
【図１１】
2007208884.tif 000013
【図１２】
2007208884.tif 000014